(57)【要約】【課題】大きいブザ−音を発音させるには、電子回路に昇圧コイルを用いて周波数の高いブザ−音の発音をさせるが、この方法では電力の消費が多いため電池消耗が激しく表示の途中で電池切れを発生させていた。そして、ブザ−取着部内より外部に音を発する発音孔を設ける方法では、静電気が発音孔より進入してＩＣの誤作動や破壊を起こしていた。【解決手段】本体ケ−ス（３）の内部にはブザ−（４）を取着するブザ−取着部（５）を形成し、基盤（６）に配設された電子部品に接続されたブザ−（４）を該ブザ−取着部（５）に取着し、更に該ブザ−取着部（５）にはブザ−音を本体ケ−ス（３）の外部に発する発音孔（７）を設け、また更に発音孔（７）より発せられたブザ−音が衝突して反響する反響板（８）を本体ケ−ス（３）の該発音孔（７）の外部前面に設ける。【選択図】    図１
2005004154.tif 000002
【特許請求の範囲】
【請求項１】
携帯用表示器（１）の外箱（２）の表示部（３）側に設けたスイッチ（４）操作により、前記外箱（２）内部の基盤（５）に配設された電子部品を介して表示とブザー音の発音を行うが、前記外箱（２）の内部にブザー設置部（６）を形成し、該ブザー設置部（６）にブザー（７）を装着し、更に該ブザー設置部（６）より前記外箱（２）の外部にブザー音を発する発音孔（８）を設け、該発音孔（８）の外部前面にブザー音が衝突する反響板（９）を設けたことを特徴とする携帯用表示器のブザー音を大きくする方法。
【請求項２】
電源を電池（１０）とし、該電池（１０）を携帯用表示器（１）の外箱（２）の内部の電池ケース（１１）内に設けた請求項１に記載の携帯用表示器のブザー音を大きくする方法。
【請求項３】
電源を太陽電池（１２）とし、該太陽電池（１２）を携帯用表示器（１）の外箱（２）の表示部（３）側に設けた請求項１乃至２に記載の携帯用表示器のブザー音を大きくする方法。
【０００１】
【発明の詳細な説明】
【発明の属する技術分野】
本発明は、携帯用表示器のブザー音を大きくする方法において、消費電流を上げず、電池消耗を抑え、更に静電気によるＩＣの誤作動や破壊を起こさせずブザー音を大きくする方法に関する。
【０００２】
【従来の技術】
従来の携帯用表示器のブザー音を大きくする方法としては、消費電力量やブザー設置部内より外部に音を発する発音孔を設けていた。
【０００３】
更に、電池を用いる携帯用表示器のブザー音を大きくする方法としては、電源にボタン電池を用い、表示部の表示やブザーの発音に係る電子部品やＩＣメモリーを介した電子回路に必要な電位を供給し、該携帯用表示器のスイッチ操作で表示部の表示やブザーの発音を行うが、このブザーの発音方法は小圧コイルを用いて発音を行い、音を大きくする方法としては消費電流を上げるか携帯用表示器のブザー設置部内より外部に音を発する発音孔を設けていた。
【０００４】
また、太陽電池を用いる携帯用表示器のブザー音を大きくする方法としては、電源に太陽電池を用いて表示部の表示やブザーの発音に係る電子部品やＩＣメモリーを介した電子回路にて必要な電力を供給し該携帯用表示器のスイッチ操作で表示部の表示やブザーの発音を行うが、太陽電池のみから表示やブザーの発音を行うには蓄電部（キャパシタ）に電位を蓄電してブザーの発音に必要な電位を用いるが、ブザー音を大きくする方法としてはブザ設置部内より外部に音を発する発音孔を設けていた。
【０００５】
そして、ゲートボール競技に用いる腕装着用の太陽電池を用いる携帯用表示器には、太陽電池と、１〜１０の数字のうちの１、３、５、７、９の奇数競技者スイッチと、該奇数競技者スイッチに対応した奇数得点表示部と、２、４、６、８、１０の偶数競技者スイッチと、該偶数競技者スイッチに対応した偶数得点表示部と、該奇数得点表示部の横側には奇数合計得点表示部及び該偶数得点表示部の横側には偶数合計得点表示部を設け、更に電源スイッチを配設し、ケース裏面には電池ケースを設け、電源は一次電池を太陽電池、二次電池をボタン電池とし、表示部の表示やブザーの発音に係る電子部品やＩＣメモリーを介した電子回路にて必要な電力を供給し、該表示器のスイッチ操作で表示部の表示やブザーの発音を行うが、表示やブザーの発音を行うには一次電池若しくは二次電池の電位の高い電池より蓄電部（スーパーキャパシタ）に電位を蓄電して表示やブザーの発音に必要な電位を用いるが、音響拡大方法としてはブザー設置部内より外部に音を発する発音孔を設けていた。
【０００６】
【発明が解決しようとする課題】
しかし、前述の従来のブザー音を大きくする方法としては、消費電流を上げるか発音孔を大きくする方法が当業者の従来技術であった。
【０００７】
そして、電池を用いる従来のブザー音の音響拡大方法としては、電池の消費電流を上げて音響の拡大を図ると、電池消耗が激しくなるという欠点があった。
【０００８】
更に、ブザー設置部に外部に音を発する発音孔を設けると些少の音を大きくする効果を得ることが出来るが、この発音孔より静電気が基盤に入りＩＣの誤作動や破壊が起こる欠点があった。
【０００９】
また、携帯用表示器としての限られたスペースで太陽電池からの直接電位を表示とブザー音の消費電流とするには多くの太陽電池が必要となるので、まず蓄電部を設け、その蓄電部に電位を蓄電し、この蓄電された電位を用いるが、音量を上げれば蓄電部内の電位の消費電流量は上がり、スイッチの連続操作が出来なくなり表示も消えてしまう欠点が生ずる。
【００１０】
また更に、太陽電池を一次電池とし、電池を二次電池とした携帯用表示器として知られているものとしては、ゲートボール得点表示器があるが、このゲートボール競技に用いる携帯用表示器においては、電池や太陽電池を利用して表示や発音を行うには限られたスペースで電池や太陽電池の設置部を設けなくてはならず、そして腕に取り付けて競技を行いながら操作を行うことから太陽電池や電池の大きさが特に限定される。そして、スイッチ操作については、スティックでボールを打撃するため手袋をしているが、この手袋をした指で表示器のスイッチ操作を行うとき、入力が出来たか否かの確認が取りづらいため、入力確認音が必要であり、競技者の多くが高齢者のため確認音が低音であると聞き取りづらいため高音を発生させる必要がある。
【００１１】
そして、ブザーの発音消費電流は、電源ＯＮ時液晶表示の消費電流が３μＡ〜５μＡとしてもブザー発音時は約６ｍＡ位（消費電流の上下の平均値）に達する。このように、ブザー発音時の消費電流は電池消耗を激しくすることで、試合の途中で電池切れを発生させる頻度が多くなり、また、太陽電池から蓄電部に蓄電された電位を利用するときにおいてはこの消費電流を更に下げなくては蓄電と消費電流のバランスが崩れて目的を達成出来ない。
【００１２】
本発明は、携帯用表示器の電位を上げずに消費電流を抑制すると共に静電気によるＩＣの誤作動や破壊を防止し、携帯用表示器のブザー音を大きくする方法を提供することを目的としている。
【００１３】
【課題を解決するための手段】
上記課題を解決する本発明は次の通りである。
請求項１に記載の携帯用表示器のブザー音を大きくする方法は、携帯用表示器の外箱の表示部側に設けられたスイッチ操作により、前記外箱内部の基盤に配設された電子部品を介して表示とブザー音の発音を行うが、前記外箱の内部にブザー設置部を形成し、該ブザー設置部にブザーを装着し、更に該ブザー設置部より前記外箱の外部にブザー音を発する発音孔を設け、該発音孔の外部前面にブザー音が衝突する反響板を設けた構成とした。
【００１４】
このような構成によって、前記携帯用表示器のブザー設置部に設けられた発音孔より発せられた音は、該発音孔の外部前面の反響板に衝突することで反響作用を得、そしてこの反響音を反響板の四方に発することで消費電流を上げずにブザー音を大きくすることが出来、消費電流の抑制作用を有す。
【００１５】
更に、静電気が発音孔より基盤に入りＩＣの誤作動や破壊を起こさせないようにするには、静電気は発生点より発音孔内のブザーに略一直線に進入して、該ブザーを介して基盤内のＩＣに到達するが、本発明は発音孔の外部前面に反響板を設けたことによって静電気の進入を阻止する作用を有す。
【００１６】
このように、本発明の構成は同時に消費電流を抑制してブザー音を大きくして静電気の進入阻止の三つの重要な作用を有すことで問題の解決を図る。
【００１７】
請求項２に記載の携帯用表示器のブザー音を大きくする方法は、電源を電池とし、該電池を携帯用表示器の外箱の内部電池ケース内に設け、携帯用表示器の外箱の表示部側に設けられたスイッチ操作により、前記外箱内部の基盤に配設された電子部品を介して表示とブザー音の発音を行うが、前記外箱の内部にブザー設置部を形成し、該ブザー設置部にブザーを装着し、更に該ブザー設置部より前記外箱の外部にブザー音を発する発音孔を設け、該発音孔の外部前面にブザー音が衝突する反響板を設けた構成とした。
【００１８】
このような構成によって、請求項１と同様な反響作用によるブザー音を大きくする作用を有すことで電池の消費電流の抑制作用を有し、更に静電気進入阻止作用を有す。
【００１９】
請求項３に記載の携帯用表示器のブザー音を大きくする方法は、上記請求項１乃至２に記載の携帯用表示器のブザー音を大きくする方法において、電源を太陽電池とし、該太陽電池を携帯用表示器の外箱の表示部側に設けた構成とした。
【００２０】
このような構成によって、請求項１及び請求項２と同様な反響作用によるブザー音を大きくする作用を有すことで太陽電池や電池の消費電流の抑制作用を有し、更に静電気進入阻止作用を有す。
【００２１】
前述したように、この構成でも前記外箱のブザー設置部に設けられた発音孔より発せられた音は、前記発音孔の外部前面の反響板に衝突することで反響作用を得、そしてこの反響音を反響板の四方に発することでブザー音は大きくなる作用を有すことで消費電流を下げて高い音が得られ、蓄電部内の電位の消費量を削減出来、腕装着用の携帯用表示器のような限られた小さなスペースでの太陽電池の使用が出来る。
【００２２】
本明細書に記載の反響板は硬質な素材であるほうが高い音が得られるが、形状は限定されない。
【００２３】
そこで、ゲートボール競技に用いる腕装着用の太陽電池付き携帯用表示器の実施における構成では、外箱の表示部側には、太陽電池と１〜１０の数字のうちの１、３、５、７、９の奇数競技者スイッチと、該奇数競技者スイッチに対応した奇数競技者得点表示部と、２、４、６、８、１０の偶数競技者スイッチと、該偶数競技者スイッチに対応した偶数競技者得点表示部と、前記奇数競技者得点表示部に相対した奇数チーム合計得点表示部と前記偶数競技者得点表示部に相対した偶数チーム合計得点表示部と、電源スイッチを配設し、更に、外箱の背面には腕装着用のベルト支持部と二次的電池を設ける電池ケースを設け、この外箱の内部にブザー設置部を形成し、該ブザー設置部にブザーを装着し、更に該ブザー設置部より前記外箱の外部にブザー音を発する発音孔を設け、該発音孔の外部前面にブザー音が衝突する反響板を設けた構成としたことで、低消費電流でブザー音を大きくし、静電気を防止し、このように限られた小さな競技用の携帯用表示器のスペース内で太陽電池を利用して目的を達成することが出来る。
【００２４】
なお、本明細書中に記載の、「電池」とは本発明の携帯用表示器内に収納可能な電池であり、ボタン電池（リチューム電池）に限定されるものでない。
【００２５】
また、本明細書中に記載の、「携帯用表示器」とは持ち運びが可能なブザー音を発する表示器であり、得点表示器やタイマーや玩具やブザー等も含まれ、その形状や表示内容は限定されない。
【００２６】
また更に、本明細書中に記載の「太陽電池」の配設位置や種類においては限定されるものではなく、更に表示部と一体的で使用可能な太陽電池を使用することも含まれる。
【００２７】
【発明の実施の形態】
以下に本発明の実施の形態を図面に基づいて説明する。
【００２８】
図１において、携帯用表示器（１）の外箱（２）の表示部（３）側に設けたスイッチ（４）操作により、前記外箱（２）内部の基盤（５）に配設された電子部品を介して表示とブザー音の発音を行うが、前記外箱（２）の内部にブザー設置部（６）を形成し、該ブザー設置部（６）にブザー（７）を装着し、該ブザー（７）は基盤（５）に短絡し、更に該ブザー設置部（６）より前記外箱（２）の外部にブザー音を発する発音孔（８）を設け、該発音孔（８）の外部前面にブザー音が衝突する反響板（９）を設けている。
【００２９】
図２に示される実施例では、携帯用表示器（１）の外箱（２）の外部に腕装着用のベルト支持部（１３）と反響板（９）を設け、該外箱（２）の内部に電池を装着する電池ケース（１１）を設けている。
【００３０】
図３に示される実施例では、ゲートボール競技に用いる携帯用表示器（１）であるが、該携帯用表示器（１）の外箱（２）の内部に形成したブザー設置部よりブザー音を発する発音孔（８）を形成し、該ブザー音が衝突する反響板（９）を腕装着用のベルト支持部（１３）と共に形成し、前記外箱（２）の表示部（３）側にスイッチ（４）と太陽電池（１２）を設けている。
【００３１】
図４に示される実施例では、一次電源を太陽電池（１２）とし、二次電源を電池（１０）としたゲートボール競技に用いる携帯用表示器（１）であるが、該携帯用表示器（１）の外箱（２）の表示部（３）側に太陽電池（１２）を設け、該外箱（２）の該表示部（３）側に設けたスイッチ（４）操作により、前記外箱（２）内部の基盤（５）に配設された電子部品を介して表示とブザー音の発音を行うが、前記外箱（２）の内部に電池を装着する電池ケース（１１）とブザー設置部（６）を形成し、該ブザー設置部（６）にはブザー（７）を装着し、更に該ブザー設置部（６）より前記外箱（２）の外部にブザー音を発する発音孔（８）を設け、該発音孔（８）の外部前面にブザー音が衝突する反響板（９）を設けている。
【００３２】
【発明の効果】
本発明は、以上説明したように構成されているので、以下に記載されているような効果を奏する。
【００３３】
外箱の内側に設けたブザー設置部にブザーを装着し、該ブザー設置部より前記外箱の外部にブザー音を発する発音孔を設け、該発音孔の外部前面にブザー音が衝突する反響板を設けたことで、ブザー音が反響効果を得ることで大きくなり電位を上げることもないので消費電流の抑制効果を奏す。
【００３４】
この消費電流の抑制効果によって、小型の携帯用表示器の限られた小スペースに太陽電池を利用できる。
【００３５】
そして、反響板を設けたことで、静電気が発音孔より進入するのを防ぎ、ＩＣの誤作動や破壊を防止出来、静電気防止効果を得ることで故障率の低減効果を奏す。
【図面の簡単な説明】
【図１】携帯用表示器の断面図である。
【図２】電池ケースを設けた携帯用表示器の底面図である。
【図３】太陽電池を設けたゲートボール競技に用いる携帯用表示器に発音孔及び反響板を設けた実施例を示す図である。
【図４】太陽電池と電池を設けたゲートボール競技に用いる携帯用表示器の平面図である。
【符号の説明】
１．  携帯用表示器
２．  外箱
３．  表示部
４．  スイッチ
５．  基盤
６．  ブザー設置部
７．  ブザー
８．  発音孔
９．  反響板
１０．  電池
１１．  電池ケース
１２．  太陽電池
１３．  ベルト支持部
【図１】
2005004154.tif 000003
【図２】
2005004154.tif 000004
【図３】
2005004154.tif 000005
【図４】
2005004154.tif 000006
【手続補正書】
【提出日】平成16年6月13日(2004.6.13)
【手続補正１】
【補正対象書類名】明細書
【補正対象項目名】全文
【補正方法】変更
【補正の内容】
【特許請求の範囲】
【請求項１】携帯用表示器（１）の本体ケ−ス（３）の表面に設けたスイッチ（２）操作により表示部（１０）の表示とブザ−音を発するが、本体ケ−ス（３）の内部にはブザ−（４）を取着するブザ−取着部（５）を形成し、このブザ−取着部（５）には、前記本体ケ−ス（３）の内部に設けた基板（６）に配設した電子回路に接続された前記ブザ−（４）を取着し、更に前記ブザ−取着部（５）にはブザ−音を前記本体ケ−ス（３）の外部に発する発音孔（７）を設け、また更に前記発音孔（７）より発せられたブザ−音が衝突して反響する反響板（８）を前記本体ケ−ス（３）の前記発音孔（７）の外部前面に設けたことを特徴とする携帯用表示器のブザ−音を大きくする方法。
【請求項２】前記携帯用表示器（１）の本体ケ−ス（３）の表面には、太陽電池（９）の受光面及び複数のスイッチ（２）と表示部（１０）を設け、前記回路部には前記太陽電池（９）を用いた電源部を設けた請求項１に記載の携帯用表示器のブザ−音を大きくする方法。
【請求項３】電池（１２）を用いた電源部を前記回路部に設けた請求項１乃至２に記載の携帯用表示器のブザ−音を大きくする方法。
【０００１】
【発明の詳細な説明】
【発明の属する技術分野】
本発明は、携帯用表示器のブザ−音を大きくする方法においては、ブザ−の発音時で多量に消費する電力を抑え、更にブザ−の発音孔より進入する静電気によるＩＣの誤作動や破壊を起こさせずブザ−音を大きくする方法に関する。
【０００２】
【従来の技術】
従来のブ携帯用表示器のブザ−音を大きくする方法としては、昇圧コイルを用いて周波数の高いブザ−音を発生させるか、前記ブザ−取着部に発音孔を形成して、外部にブザ−音を発していた。
【０００３】
そして、ゲ−トボ−ル競技に用いる腕装着用の太陽電池を用いる携帯用表示器のケ−スの表面には、太陽電池と、１〜１０の数字のうちの１、３、５、７、９の奇数競技者スイッチと、該奇数競技者スイッチに対応した奇数得点表示部と、２、４、６、８、１０の偶数競技者スイッチと、該偶数競技者スイッチに対応した偶数得点表示部と、該奇数得点表示部の横側には奇数合計得点表示部及び該偶数得点表示部の横側には偶数合計得点表示部を設け、更にタイマ−表示部や時計表示部を設け、また更に電源スイッチやスタ−トスイッチ、時計スイッチ、タイマ−スイッチ、アウトボ−ルスイッチを配設し、ケ−ス裏面にはベルト支持部を設け、更に、電池ケ−スを設け、そして、電源は一次電池と太陽電池とし、表示部の表示やブザ−の発音に必要な電力を、電子回路に設けた蓄電部に供給しているが、ブザ−音を大きくする方法としてはブザ−設置部内より外部に音を発する発音孔を設けていた。（特願２００３−１９８７５９）
【０００４】
また、スイッチ操作による入力が出来たか否かの確認のブザ−を備えたゲ−トボ−ル競技用審判装置は、電源供給線を介した信号線でブザ−と接続しているが、ブザ−音を大きくする方法は示唆されてない。（特願平７−８０１１４）
【０００５】
【発明が解決しようとする課題】
従来の携帯用得点表示器のブザ−音を大きくする方法にあっては、多量の電力を消費する昇圧コイルを用いるか、ブザ−の前面に発音孔を設けて外部にブザ−音を発する方法が用いられていた。
【０００６】
このように、従来の電池を用いた昇圧コイルによってのブザ−音を大きくする方法は、電池消耗が激しくなるという問題があった。
【０００７】
更に、ブザ−設置部に、ブザ−音を外部に発する発音孔を設けると些少の音を大きくすることは出来るが、この発音孔より静電気が基盤に入りＩＣの誤作動や破壊が起こる大きな問題があった。
【０００８】
また、携帯用表示器としての限られたスペ−スで、太陽電池から電力を直接中央演算処理部を介して表示とブザ−音の消費電流とするには、多くの太陽電池が必要となるが、これは不可能であるので、まず蓄電部を設け、その蓄電部に電力を蓄電し、この蓄電された電力を用いるが、音量を上げれば蓄電部内の電力を急激に消費するので、連続操作が出来なくなる。
【０００９】
また更に、一次電池と太陽電池を電源とした携帯用表示器として知られているものとしては、腕に取り付けて競技を行いながら操作を行うゲ−トボ−ル得点表示器があるが、このゲ−トボ−ル競技に用いる携帯用表示器においては、一次電池や太陽電池を利用して表示や発音を行うには限られたスペ−スで電池や太陽電池の設置部を設けなくてはならず、更に太陽電池や電池の大きさも限定される。そして、スイッチ操作については、スティックでボ−ルを打撃するため手袋をしているが、この手袋をした指でスイッチ操作を行うとき、入力が出来たか否かの確認が取りづらいので、入力確認音が必要であり、競技者の多くが高齢者のため確認音が低音であると聞き取りづらいため高音を発生させる必要がある。
【００１０】
そして、ブザ−音の消費電流については、電源入力時の液晶表示の消費電流は約３μＡ〜５μＡであるが、ブザ−発音時は約６ｍＡ位（消費電流の上下の平均値）に達する。このように、ブザ−発音時の消費電流は電池消耗を激しくすることから、試合の途中で電池切れを発生させる頻度が多くなっていた。また、太陽電池から蓄電部に蓄電された電力を利用するときにおいては、このブザ−音の消費電流を更に下げなくては連続操作が出来ず、携帯用表示器としての目的を達成出来ない。
【００１１】
本発明は、携帯用表示器のブザ−音の電力を多量に消費せずにブザ−音を大きくすると共に前記発音孔よりの静電気の進入によるＩＣの誤作動や破壊を防止し、携帯用表示器のブザ−音を大きくする方法を提供することを目的としている。
【００１２】
【課題を解決するための手段】
上記課題を解決する本発明は次の通りである。
請求項１の携帯用表示器のブザ−音を大きくするする方法においては、携帯用表示器の本体ケ−スの表面に設けたスイッチ操作により表示部の表示とブザ−音を発するが、本体ケ−スの内部にはブザ−を取着するブザ−取着部を形成し、このブザ−取着部には、前記本体ケ−スの内部に設けた基板に配設した電子回路に接続された前記ブザ−を取着し、更に前記ブザ−取着部にはブザ−音を前記本体ケ−スの外部に発する発音孔を設け、また更に前記発音孔より発せられたブザ−音が衝突して反響する反響板を前記本体ケ−スの前記発音孔の外部前面に設けた構成とした。
【００１３】
上記発音孔の形状は、本体ケ−スの外部側に突出した形状であれば、静電気の進入をより防止出来、更に突然の降雨による雨水が流れ伝って前記本体内部に入ることを防ぐことが出来る。
【００１４】
また、上記ブザ−取着部に設けられた発音孔より発せられたブザ−音は、前記発音孔の外部前面に設けられた反響板に衝突することで、反響音を反響板の四方に平均して発するようにするために、ブザ−及び発音孔の中心を反響板の中心に設けることが望ましい。
【００１５】
請求項２に記載の携帯用表示器のブザ−音を大きくする方法は、前記携帯用表示器の本体ケ−スの表面には、太陽電池の受光面及び複数のスイッチと表示部を設け、前記回路部には前記太陽電池を用いた電源部を設けた請求項１に記載の構成とした。
【００１６】
上記太陽電池を設けた回路部には蓄電を主目的の蓄電器を設け、この蓄電器に前記太陽電池から得られた電力を蓄電し、スイッチの連続操作による動作と表示を行える電子回路のシステムの構築が望ましいが、ブザ−の発音については、周波数の高い電子部品を用いなくてもよい。
【００１７】
請求項３に記載の携帯用表示器のブザ−音を大きくする方法は、電池を用いた電源部を前記回路部に設けた請求項１乃至２に記載の構成とした。
【００１８】
請求項１との組み合わせでは、大きいブザ−音発生のための周波数の高い電子部品を使用しなくてよく、請求項２との組み合わせにおいて、電池は太陽電池の補助的電池とした構成では、何れかの電圧の高い方の電池が選択される構成や、電池間や各電池と蓄電器間の電流の逆流を防止する逆流防止ダイオ−ドを電子回路に備えることが望ましい。
【００１９】
そして、本発明の携帯用表示器のブザ−音を大きくする方法の技術を用いた例として、ゲ−トボ−ル競技に用いる腕装着用の太陽電池付き携帯用表示器では、本体ケ−スの表面には、太陽電池の受光面と１〜１０の数字のうちの１、３、５、７、９の奇数競技者スイッチと、前記奇数競技者スイッチに対応した奇数競技者得点表示部と、２、４、６、８、１０の偶数競技者スイッチと、前記偶数競技者スイッチに対応した偶数競技者得点表示部と、前記奇数競技者得点表示部に相対した奇数チ−ム合計得点表示部と前記偶数競技者得点表示部に相対した偶数チ−ム合計得点表示部と、電源スイッチを配設し、更に、本体ケ−スの裏面には腕装着用のベルト支持部と補助的電池を設ける電池ケ−スを設け、この本体ケ−スの内部には、太陽電池と補助的電池の電源部や電子回路を介した蓄電器や中央演算処理部を備えた基板を設け、更にブザ−取着部を形成し、このブザ−取着部にブザ−を取着し、更に前記ブザ−取着部より前記本体ケ−スの外部にブザ−音を発する発音孔を設け、この発音孔の外部前面にブザ−音が衝突する反響板を設けた構成としたことで、低消費電流でブザ−音を大きくし、静電気の防止作用も有し、連続操作も可能にすることが出来た。尚、この携帯用表示器にはスタ−トスイッチ、時計スイッチ、タイマ−スイッチ、アウトボ−ルスイッチ等や時計表示、タイマ−表示、アウトボ−ル表示を設けることが出来る。
【００２０】
【発明の実施の形態】
以下に本発明の実施の形態を図面に基づいて説明する。
【００２１】
図１は、本発明の第１実施例を示す携帯用表示器のブザ−音を大きくする方法の縦断面図である。携帯用表示器（１）の本体ケ−ス（３）の表面に設けたスイッチ（２）操作により表示部（１０）の表示とブザ−音を発するが、本体ケ−ス（３）の内部にはブザ−（４）を取着するブザ−取着部（５）を形成し、このブザ−取着部（５）には、前記本体ケ−ス（３）の内部に設けた基板（６）に配設した電子回路に接続された前記ブザ−（４）を前記ブザ−取着部（５）に取着し、更に前記ブザ−取着部（５）にはブザ−音を前記本体ケ−ス（３）の外部に発する発音孔（７）を設け、また更に前記発音孔（７）より発せられたブザ−音が衝突して反響する反響板（８）を前記本体ケ−ス（３）の前記発音孔（７）の外部前面に設けた構成とした。
【００２２】
このような構成によって、前記携帯用表示器（１）のブザ−取着部（５）に設けられた発音孔（７）より発せられたブザ−音は、前記発音孔（７）の外部前面の反響板（８）に衝突することで反響作用を得、そしてこの反響音を反響板（８）の四方に発することで消費電流を上げずにブザ−音を大きくすることが出来、消費電流の抑制作用を有す。
【００２３】
更に、静電気が発音孔（７）より基盤（６）に入りＩＣの誤作動や破壊を起こさせないようにするには、静電気は発生点より発音孔（７）内のブザ−（４）に略一直線に進入して、該ブザ−（４）を介して基盤（６）内のＩＣに到達するが、本発明は発音孔（７）の外部前面に反響板（８）を設けたことによって静電気の進入を阻止する作用を有す。
【００２４】
このような本発明の構成によって、次の三つの重要な作用を有す。
▲１▼ブザ−音の電力の消費を抑える。
▲２▼多量の電力を消費せずにブザ−音を大きくする。
▲３▼発音孔（７）より進入する静電気を阻止し、ＩＣチップの誤作動や破壊を防止する。
【００２５】
そして、ブザ−音を発生させる消費電力を減少出来るので、腕装着用の携帯用表示器（１）のような限られたスペ−スの中での太陽電池（９）の使用が可能となった。
【００２６】
図２は、本発明の第２実施例を示す携帯用表示器のブザ−音を大きくする方法の平面図である。携帯用表示器（１）の本体ケ−ス（３）の表面には、太陽電池（９）の受光面及び複数のスイッチ（２）と表示部（１０）を設け、前記本体ケ−ス（３）の内部に設けた前記基板（６）に配設した電子回路に前記太陽電池（９）を用いた電源部を設けている。
【００２７】
このような構成によって、請求項１と同様に、ブザ−音の電力の消費を抑えて、多量の電力を消費せずにブザ−音を大きくし、発音孔（７）より進入する静電気を阻止し、ＩＣチップの誤作動や破壊を防止する作用を有すと共に、電源に太陽電池（９）を設けたことで、屋外での使用においては、太陽エネルギ−を受光面に受ければ連続操作が可能となる。
【００２８】
図３は、本発明の第３実施例を示す携帯用表示器のブザ−音を大きくする方法の底面図である。携帯用表示器（１）の本体ケ−ス（３）の底面には、ブザ−音が衝突する反響板（８）を腕装着用のベルト支持部（１１）と共に形成し、更に電池（１２）を装着する電池ケ−ス（１３）を設け、前記本体ケ−ス（３）の内部には、電池（１２）を用いた電源部を前記回路部に設けている
【００２９】
このような構成によって、請求項１乃至請求項２と同様に、ブザ−音の電力の消費を抑えて、多量の電力を消費せずにブザ−音を大きくし、発音孔（７）より進入する静電気を阻止し、ＩＣチップの誤作動や破壊を防止する作用を有すと共に、電源部に電池（１２）を用いたことで、請求項１との組み合わせでは、ブザ−音に周波数の高い部品を用いなくてもよいので、電池寿命を長くする作用を有し、請求項２との組み合わせにおいては、太陽電池（９）の補助電池とするが、太陽電池（９）を用いるには多量の蓄電を主目的とした蓄電器に電力を蓄電して連続操作を実現させるが、この蓄電器の蓄電量が皆無のとき、太陽電池（９）からの初期電力の供給では太陽エネルギ−を電力に変換して蓄電器へ供給するのに時間を要するが、電池（１２）よりの供給は瞬時に蓄電出来る作用を有し、前記太陽電池（９）が受光不足か否かのときは、いずれかの電圧の高い電池を選択する構成を用いれば、自動的にいずれかの電圧の高い電池より蓄電器へ電力を供給することが出来る。
【００３０】
図４は、第３実施例の背面図である。前記携帯用表示器（１）の本体ケ−ス（３）の上部表面には太陽電池（９）及び表示部（１０）と複数のスイッチ（２）を設け、このスイッチ（２）操作により、前記本体ケ−ス（３）内部の基盤（６）に配設された電子部品を介して表示とブザ−音の発音を行うが、前記本体ケ−ス（３）の下部の内部に電池（１２）を装着する電池ケ−ス（１３）とブザ−取着部（５）を形成し、該ブザ−取着部（５）にはブザ−（４）を装着し、更に該ブザ−取着部（５）より前記本体ケ−ス（３）の外部にブザ−音を発する発音孔（７）を設け、該発音孔（７）の外部前面にブザ−音が衝突する反響板（８）を設けている。
【００３１】
また、本明細書中に記載の、「携帯用表示器」とは持ち運びが可能なブザ−音を発する表示器であり、得点表示器やタイマ−や玩具や携帯電話等であり、本発明の反響板（８）を用いる技術は、表示器を用いないブザ−（４）を用いたブザ−（４）の発音に係る構成に実施することも含まれ、その形状や表示内容や表示部（１０）の有る無しには限定されない。
【００３２】
また更に、本明細書中に記載の「太陽電池」の種類においては限定されるものではなく、更に太陽電池（９）と表示部（１０）と一体的に形成されている太陽電池を使用することも含まれる。
【００３３】
【発明の効果】
本発明は、以上説明したように構成されているので、以下に記載されているような効果を奏する。
【００３４】
本体ケ−スの内側に設けたブザ−取着部に電子回路に接続されたブザ−を取着し、該ブザ−取着部より前記本体ケ−スの外部にブザ−音を発する発音孔を設け、この発音孔より発せられたブザ−音は、前記発音孔の外部前面にブザ−音が衝突して反響する反響板を設けたことで、ブザ−音は反響効果を得、多量の電力を消費せずにブザ−音を大きくする事が出来、消費電力の抑制効果を奏す。
【００３５】
この消費電力の抑制効果によって、小型の携帯用表示器の限られた小スペ−スに太陽電池を利用できる。
【００３６】
そして、反響板を設けたことで、静電気が発音孔より進入するのを防ぎ、ＩＣの誤作動や破壊を防止出来、静電気防止効果を得ることで故障率の低減効果を奏す。
【００３７】
このように、一つの反響板を設けることで、上記のような多数の効果を奏すことが出来る。
【００３８】
【図面の簡単な説明】
【図１】携帯用表示器の縦断面図である。
【図２】太陽電池を設けた携帯用表示器の平面図である。
【図３】電池ケ−スを設けた携帯用表示器の底面図である。
【図４】複数のスイッチと発音孔及び反響板や腕に装着するベルト支持部を設けた携帯用表示器の背面図である。
【００３８】
【符号の説明】
１．  携帯用表示器
２．  スイッチ
３．  本体ケ−ス
４．  ブザ−
５．  ブザ−取着部
６．  基板
７．  発音孔
８．  反響板
９．  太陽電池
１０．  表示部
１１．  ベルト支持部
１２．  電池
１３．  電池ケ−ス


【手続補正２】
【補正対象書類名】図面
【補正対象項目名】全図
【補正方法】変更
【補正の内容】
【図１】
2005004154.tif 000007
【図２】
2005004154.tif 000008
【図３】
2005004154.tif 000009
【図４】
2005004154.tif 000010